(57)【要約】【課題】  メッシュの粗い金属線のメッシュ筒体の中にメッシュの細かい金属線のメッシュ筒体を内蔵して二重構造の金属線のメッシュ筒体からなる装身具を提供する。【解決手段】  金属線を用いて編製した２組のメッシュの粗さが異なるメッシュ筒体１，２の組合せからなる装身具であって、メッシュの粗いメッシュ筒体１を外側に、メッシュの細かいメッシュ筒体２を内側に配して二重構造のメッシュ筒体３とした。【選択図】  図１
2004283576.tif 000002
【特許請求の範囲】
【請求項１】
金属線を用いて編製した２組のメッシュの粗さが異なるメッシュ筒体の組合せからなる装身具であって、メッシュの粗いメッシュ筒体を外側に、メッシュの細かいメッシュ筒体を内側に配して二重構造のメッシュ筒体としたことを特徴とする装身具。
【請求項２】
前記メッシュが粗いメッシュ筒体は、金属線をシングルリンク越しに円筒型に編み込んで編製したシングルメッシュのメッシュ筒体からなり、前記メッシュの細かいメッシュ筒体は、金属線をダブルリンク越しに円筒型に編み込んで編製したダブルリンクメッシュのメッシュ筒体からなることを特徴とする請求項１記載の装身具。
【請求項３】
前記金属線は金、銀、プラチナを含む貴金属線からなることを特徴とする請求項１に記載の装身具。
【請求項４】
前記金属線は成分や配合の比率を適宜変化させた合金からなる金属線からなることを特徴とする請求項１記載の装身具。
【請求項５】
前記二重のメッシュ筒体の少なくとも一方は、金属の種類が異なる複数の金属線、あるいは成分や配合の比率が異なる複数の合金からなる金属線、あるいはそれらの組合せからなる複数の金属線によって編製されていることを特徴とする請求項１記載の装身具。
【請求項６】
追加のメッシュ筒体を有する二重以上の多重構造のメッシュ筒体を有する請求項１記載の装身具。
【請求項７】
内側のメッシュ筒体を長さ方向に引き延ばしてメッシュを細目状態にして強度を高めた請求項１記載の装身具。
【請求項８】
外側のメッシュ筒体を長さ方向に引き延ばしてメッシュ筒体同士の密着性を高めた請求項１記載の装身具。
【請求項９】
金属線を用いて相対的にメッシュが細かく、相対的に小径のメッシュ筒体を編製する工程と、
金属線を用いて相対的にメッシュが粗く、相対的に大径のメッシュ筒体を編製する工程と、
前記相対的にメッシュが細かく、相対的に小径のメッシュ筒体を、前記相対的にメッシュが粗く、相対的に大径のメッシュ筒体の内側に挿入する工程と、を有することを特徴とする装身具の製造方法。
【請求項１０】
前記相対的にメッシュが細かく、相対的に小径のメッシュ筒体を引き延ばしてメッシュを細目状態にする工程をさらに有することを特徴とする請求項９に記載の装身具の製造方法。
【請求項１１】
前記相対的にメッシュが粗く、相対的に大径のメッシュ筒体を引き延ばしてその内径を縮小させる工程をさらに有することを特徴とする請求項９に記載の装身具の製造方法。
【請求項１２】
金属線を用いて２組のメッシュ筒体を編製する工程と、
前記２組のメッシュ筒体の一方を引き延ばしてメッシュを細目状態にする工程と、
前記引き延ばしたメッシュ筒体を他方の前記メッシュ筒体の内側に挿入する工程と、を有することを特徴とする装身具の製造方法。
【発明の詳細な説明】
【技術分野】
【０００１】
この本発明は、所定の金属線、好ましくは金、銀、プラチナ等の貴金属線を用いて編製した２組のメッシュの粗さが異なるメッシュ筒体を組合せ、メッシュ筒体の外圧による潰れ変形を保護し、また、色彩とデザインの安定および多様化を図る装身具およびその製造方法に関するものである。
【背景技術】
【０００２】
従来、金、銀、プラチナ等、所定の貴金属線を所定の編み機により円筒型のメッシュ筒体に編製し、その両端に金属環およびこの金属環に引掛金具(クラスプ)を取付けたネックレスやブレスレット等の装身具(アクセサリー)は公知である。
【０００３】
また、特開平11-299514号公報、特開2002-360320号公報の如く、貴金属製ボールチェーンを使用して貴金属製ネットを形成し、さらにこの貴金属製ネットを筒状に形成し、内部に数珠または、紐状物あるいは合成樹脂製で可撓性のあるものを挿入した装身具も公知である。
【特許文献１】特開平１１−２９９５１４号公報
【特許文献２】特開２００２−３６０３２０号公報
【発明の開示】
【発明が解決しようとする課題】
【０００４】
しかし、上記従来技術において、前者すなわち金、銀、プラチナ等、所定の貴金属線を編み機により円筒型のメッシュ筒体に編製したものの場合は、出来上った貴金属製メッシュ筒体が外部からの圧力により凹んだり、潰れるなどの変形が起き易い問題点があったばかりでなく、色彩的にもデザイン的にも目新しい装飾効果の大きいものが得られないという問題点があった。
【０００５】
一方、後者すなわち特開平11-299514号公報や特開2002-360320号公報に開示された技術の場合は、いずれも貴金属製ボールチェーンを用いて貴金属製ネットを形成し、さらにこの貴金属製ネットを筒状に形成したものを用いている。貴金属製ネット筒体は、外圧に対して抵抗なく変形し、自己復元性がないため、内部に数珠または紐状物あるいは合成樹脂製で可撓性のあるものを挿入して外圧による潰れを防止していたが、ネット筒体自体は円筒形を維持することができず、他部材を使用することにより、全体的にコスト高となるばかりでなく、色彩とデザインの定形性が得られないという問題点があった。
【０００６】
本発明は上記のような問題をなくし、金属線、好ましくは金、銀、プラチナ等の貴金属線を用いて外側となるメッシュ筒体のメッシュ(編み目)を粗目に形成し、内側となるメッシュ筒体のメッシュ(編み目)を細目に形成した二重構造のメッシュ筒体となすことにより、外圧による潰れ、変形を防止することができるとともに、前記メッシュ筒体の金属線のそれぞれの金属の種類を変え、あるいは合金の成分や配合の比率を変え、あるいはそれらを組み合わせ、さらに必要に応じてメッシュ筒体層数を追加してメッシュ筒体を編製することにより、色彩的、デザイン的に安定した装飾効果が大で、しかもコストの安価な装身具を提供することを目的とするものである。
【課題を解決するための手段】
【０００７】
前記目的を達成するため、本発明による装身具は、金属線を用いて編製した２組のメッシュの粗さが異なるメッシュ筒体の組合せからなる装身具であって、メッシュの粗いメッシュ筒体を外側に、メッシュの細かいメッシュ筒体を内側に配して二重構造のメッシュ筒体としたことを特徴とするものである。
【０００８】
前記メッシュが粗いメッシュ筒体は、金属線をシングルリンク越しに円筒型に編み込んで編製したシングルメッシュのメッシュ筒体からなり、前記メッシュの細かいメッシュ筒体は、金属線をダブルリンク越しに円筒型に編み込んで編製したダブルリンクメッシュのメッシュ筒体からなるようにすることができる。
【０００９】
前記金属線は金、銀、プラチナを含む貴金属線からなることが好ましい。
【００１０】
前記金属線は成分や配合の比率を適宜変化させた合金からなる金属線とすることができる。
【００１１】
前記二重のメッシュ筒体の少なくとも一方は、金属の種類が異なる複数の金属線、あるいは成分や配合の比率が異なる複数の合金からなる金属線、あるいはそれらの組合せからなる複数の金属線によって編製されているようにすることができる。
【００１２】
また、追加のメッシュ筒体を有する二重以上の多重構造のメッシュ筒体を有するようにすることができる。
【００１３】
また、内側のメッシュ筒体を長さ方向に引き延ばしてメッシュを細目状態にして強度を高めるようにすることができる。
【００１４】
また、外側のメッシュ筒体を長さ方向に引き延ばしてメッシュ筒体同士の密着性を高めるようにすることができる。
【００１５】
本発明による装身具の製造方法は、金属線を用いて相対的にメッシュが細かく、相対的に小径のメッシュ筒体を編製する工程と、金属線を用いて相対的にメッシュが粗く、相対的に大径のメッシュ筒体を編製する工程と、前記相対的にメッシュが細かく、相対的に小径のメッシュ筒体を、前記相対的にメッシュが粗く、相対的に大径のメッシュ筒体の内側に挿入する工程とを有することを特徴とする。
【００１６】
また、本発明による装身具の製造方法は、前記相対的にメッシュが細かく、相対的に小径のメッシュ筒体を引き延ばしてメッシュを細目状態にする工程をさらに有することができる。
【００１７】
また、本発明による装身具の製造方法は、前記相対的にメッシュが粗く、相対的に大径のメッシュ筒体を引き延ばしてその内径を縮小させる工程をさらに有することことができる。
【００１８】
また、本発明による装身具の製造方法は、金属線を用いて２組のメッシュ筒体を編製する工程と、前記２組のメッシュ筒体の一方を引き延ばしてメッシュを細目状態にする工程と、前記引き延ばしたメッシュ筒体を他方の前記メッシュ筒体の内側に挿入する工程と、を有することを特徴とするものである。
【発明の効果】
【００１９】
本発明によれば、金属線を編製してメッシュの粗いメッシュ筒体とメッシュの細かい貴金属製メッシュ筒体を形成し、前記メッシュの粗いメッシュ筒体の中に前記メッシュの細かいメッシュ筒体を内蔵して二重構造のメッシュ筒体としたものであるから、従来の貴金属製ネット筒体に比べ強度的に優れたものとなしえる。特に、本発明においては、前記内蔵されるメッシュ筒体のメッシュを、必要に応じさらに細目状態とすることにより、前記メッシュ筒体を強固なメッシュ筒状芯体とすることができ、その結果、外圧による潰れ、変形を充分に防止し得るものを得ることができる。
【００２０】
また、外側はメッシュの粗いメッシュ筒体とすることにより、材料コストの軽減を図ることができる。
【００２１】
さらに、前記両メッシュ筒体は共に金属線の編製によるものであるから、相亙になじみ合って、異和感がなく、特に貴金属線からなるメッシュ筒体固有のデザインを損うこともなく、装身具としての装飾効果を大いに高めることができる。
【００２２】
また、外側および内側のメッシュ筒体は共に金属線の編製によるものであるから相互になじみ合って一体性がよく、しかも、内側のメッシュ筒体を、長さ方向に適宜引張って筒体の中心側に収縮させることによって、メッシュをさらに細目状態としてより強度に優れたものとすることができる。
【００２３】
あるいは、外側のメッシュ筒体を、長さ方向に適宜引張って筒体の中心側に収縮させることによって、内側と外側のメッシュ筒体の密着性を適当に高めることができる。
【００２４】
また、本発明は、金属線の金属の種類、あるいは合金の成分や配合の比率、あるいはそれらの組合せを適宜変えることにより、メッシュ筒体全体の色彩を多様化させることができ、装飾効果を大とすることができる。
【００２５】
さらに、内側のメッシュ筒体あるいは外側のメッシュ筒体あるいはその双方について、各メッシュ筒体を、金属の種類が異なる複数の金属線、あるいは成分や配合の比率が異なる複数の合金からなる金属線、あるいはそれらの組合せからなる複数の金属線によって編製することにより、各メッシュ筒体が多様な色彩を有し、複数層構造とした場合にメッシュ筒体全体の装飾効果を大とすることができる。
【００２６】
また、本発明は、追加のメッシュ筒体を有する二重以上の多重構造のメッシュ筒体とすることにより、複雑な色合いのメッシュ筒体とすることができ、全体の色彩およびデザインを多様化し得て、装飾効果を大とすることができる。
【００２７】
本発明の装身具の製造方法によれば、相対的にメッシュが細かくかつ小径のメッシュ筒体と、相対的にメッシュが粗くかつ大径のメッシュ筒体とを編製し、相対的にメッシュが細かくかつ小径のメッシュ筒体を相対的にメッシュが粗くかつ大径のメッシュ筒体に挿入すれば、安価で外圧による潰れや変形を充分に防止でき且つ多様なデザインが可能な装身具を得ることができる。
【００２８】
前記挿入後の相対的にメッシュが細かくかつ小径のメッシュ筒体をさらに引き延ばすことによって、前記相対的にメッシュが細かくかつ小径のメッシュ筒体がさらに細目のメッシュ筒体になり、外圧による潰れや変形を充分に防止する芯体とすることができる。
【００２９】
前記相対的にメッシュが細かくかつ小径のメッシュ筒体を挿入後の前記相対的にメッシュが細かくかつ小径のメッシュ筒体をさらに引き延ばすことによって、内側と外側のメッシュ筒体の密着度を向上させることができる。
【００３０】
本発明の装身具の製造方法によれば、金属線を用いて２組のメッシュ筒体を編製し、その一方のメッシュ筒体の一方を引き延ばして小径且つメッシュを細目状態にし、他方のメッシュ筒体に挿入することにより、簡易にメッシュの粗さが異なる２重構造のメッシュ筒体からなる装身具を得ることができる。
【発明を実施するための最良の形態】
【００３１】
以下、この発明の装身具の具体的な実施形態について図面を参照して詳細に説明する。
【００３２】
図１は本発明の装身具としてネックレスを実施の形態にして示したものであり、金線や、銀線や、白金(プラチナ)線等の貴金属線で編製したメッシュ(編み目)の粗い(粗目)貴金属製メッシュ筒体１と、この貴金属製メッシュ筒体１の中に挿入される金線や、銀線や、白金(プラチナ)線等の貴金属線で編製した前記貴金属製メッシュ筒体１のメッシュ(編み目)より細かい細目の貴金属製メッシュ筒体２とからなる二重構造の貴金属製メッシュ筒体３で構成された装身具としたものである。
【００３３】
なお、前記貴金属製メッシュ筒体１，２のメッシュ(編み目)の大きさ(寸法、
形状)は外側の貴金属製メッシュ筒体１が粗く(粗目)、内側の貴金属製メッシュ筒体２が細かく(細目)あれば、その寸法、形状は任意である。
【００３４】
また、前記外側の貴金属製メッシュ筒体１と、内側の貴金属製メッシュ筒体２の太さや寸法は密着状態または多少の余裕をもった嵌合状態となることが好ましが、それに限定されるものでない。
【００３５】
なお、本実施形態では、金属線は貴金属線としたが、貴金属に限らず、装飾的な効果を有する任意の金属線を用いることができる。
【００３６】
図２は、本発明の装身具としてネックレスを実施の形態にしたものを拡大して示したものであり、前記外側となる貴金属製メッシュ筒体１は、周知の編み機（図示せず）により、所定の貴金属線をシングルリンク越しに円筒型に編み上げて編み目の粗い(粗目)のシングルリンクメッシュの貴金属製メッシュ筒体に形成され、前記内側となる貴金属製メッシュ筒体２は、同じく周知の編み機（図示せず）により、所定の貴金属線をダブルリンク越しに円筒形に編み上げて編み目の細かい（細目）のダブルリンクメッシュの貴金属製メッシュ筒体に形成されて、前記外側となる貴金属製メッシュ筒体１内に内蔵され、二重構造の貴金属製メッシュ筒体３で構成された装身具としたものである。
【００３７】
なお、前記貴金属製メッシュ筒体１，２のメッシュ(編み目)の大きさ(寸法、
形状)は外側の貴金属製メッシュ筒体１が粗く(粗目)、内側の貴金属製メッシュ筒体２が細かければ(細目)、その寸法、形状は任意である。
【００３８】
前記外側および内側の貴金属製メッシュ筒体１，２は相互に密着させて二重構造とすることにより、外圧により潰れ、変形しにくい貴金属製メッシュ筒体からなる装身具となすことができるが、必ずしも密着状態でなければならぬものでもなく、これに限定されるものではない。
【００３９】
また、前記外側および内側の貴金属製メッシュ筒体１，２は編製によるものであるため、可撓性を有しており、二重構造の貴金属製メッシュ筒体３を容易に湾曲でき、ネックレス、ブレスレット等の装身具として用いることができるものである。
【００４０】
また、貴金属製メッシュ筒体１，２を編製する金線、銀線、白色（プラチナ）線のそれぞれの金属の種類、合金の成分や配合の比率を変え、あるいはそれらを組み合わせることによって色彩を多様化させることができ、また、同一のメッシュ筒体を、金属の種類が異なる複数の金属線、あるいは成分や配合の比率が異なる複数の合金の金属線、あるいはそれらの組合せによって形成することにより、多様な色彩を有し、メッシュ筒体全体に多様なデザインを供することができる。
【００４１】
さらに、追加のメッシュ筒体を有し、２重以上の多層構造のメッシュ筒体とすることにより、メッシュ筒体のデザインを多様化することもできる。
【００４２】
なお、内側となる貴金属製メッシュ筒体２は図２示の如く、長さ方向に引張って、その外径を筒体の中心側に収縮させることによって、メッシュをさらに細目状態として強度を高めた貴金属製メッシュ筒状芯体とすることができる。
【００４３】
あるいは、外側となる貴金属製メッシュ筒体１を長さ方向に引張って、その外径を筒体の中心側に収縮させることによって、内側と外側の貴金属製メッシュ筒体の密着性を適当に調整することができる。
【００４４】
また、図１に示す符号４は、前記二重構造の貴金属製メッシュ筒体３の両端に取付けた金属環であって、前記外側および内側の各貴金属製メッシュ筒体１，２の両端部も一体に取付けられている。５は金属環４に取付けた引掛金具(クラスプ)である。
【図面の簡単な説明】
【００４５】
【図１】本発明の一実施形態によるネックレスの一部を破断して示した図。
【図２】本発明の一実施形態によるネックレスの一部を破断して示した拡大図。
【図３】外側となるメッシュ筒体の一部拡大正面図。
【図４】内側となるメッシュ筒体の一部拡大正面図。
【符号の説明】
【００４６】
１  メッシュの粗い貴金属製メッシュ筒体
２  メッシュの細かい貴金属製メッシュ筒体
３  二重構造からなる貴金属製メッシュ筒体
４  金属環
５  引掛金具
Ａ  装身具
【図１】
2004283576.tif 000003
【図２】
2004283576.tif 000004
【図３】
2004283576.tif 000005
【図４】
2004283576.tif 000006